Podtech/llm-jp-corpus-v4-ja_patent huggingface dataset:
(57)【要約】【課題】汚濁水の流速が速い場合にも好適に汚濁物質を除去する装置を提供することにある。【解決手段】  通水性フラッペ体の上部にフロートを設け、該通水性フラッペ体をＶ字形に構成するように固定し、かつ該通水性フラッペ体の外側の少なくとも一方にネット体を垂下するように設けると共に、前記Ｖ字形通水性フラッペ体およびネット体の下縁部に重錘を設けてなる、汚濁水の汚濁物質除去装置。【選択図】図１
2018059286.tif 000002
【特許請求の範囲】
【請求項１】
通水性フラッペ体の上部にフロートを設け、該通水性フラッペ体をＶ字形に構成するように固定し、かつ該通水性フラッペ体の外側の少なくとも一方にネット体を垂下するように設けると共に、前記Ｖ字形通水性フラッペ体およびネット体の下縁部に重錘を設けることを特徴とする汚濁水の汚濁物質除去装置。
【発明の詳細な説明】
【技術分野】
【０００１】
本発明は、汚濁水中の汚濁物質を除去するためのネット状の除去装置に関する。
【背景技術】
【０００２】
従来、汚濁水中の汚濁粒子を捕捉する装置として種々のものが提案されている。例えば、多数の通水孔を有する通水平面体に汚濁水が通過するとき汚濁粒子を捕捉する汚濁粒子捕捉体を設けるとともに、上記通水平面状体の少なくとも中間部において横方向全長にわたって浮体を取り付けたフェンス用材を水域に設置し、その設置の断面形状を上記浮体の浮遊により上記通水平面状体がこの浮体の両側に垂下部を形成し、かつこれらの垂下部の下部が水底に係留される形状とすることにより少なくとも１つの囲み水域を形成することを特徴とする潜堤フェンスが知られている（特許文献１）。
【先行技術文献】
【特許文献】
【０００３】
【特許文献１】特公平５−７３８４３号公報
【発明の概要】
【発明が解決しようとする課題】
【０００４】
しかしながら、前記した潜堤フェンスは比較的汚濁水の流速が穏やかな場合は充分な効果が得られるが、水流が速くなるにつれて効果が低下するため、それらを防止するために多重展張を余儀なくされていた。
そこで、本発明者は、汚濁水の流速が速い場合でも好適に汚濁水中の汚濁物質を除去する装置について種々研究を重ねた結果本発明を完成するに至った。
【課題を解決するための手段】
【０００５】
すなわち、本発明は、通水性フラッペ体の上部にフロートを設け、該通水性フラッペ体をＶ字形に構成するように固定し、かつ該通水性フラッペ体の外側の少なくとも一方にネット体を垂下するように設けると共に、前記Ｖ字形通水性フラッペ体およびネット体の下縁部に重錘を設けることを特徴とする汚濁水の汚濁物質除去装置である。
【発明の効果】
【０００６】
本発明の汚濁物質除去装置を用いることによって、流速の速い汚濁水の処理にあってもネット体によって流速を減速させ、かつ通水性フラッペ体をＶ字形に構成することによってシャドーマスク効果を生起させ、かつ通水性フラッペ体とネット体とを組合せて設けることによって、その相乗効果により汚濁物質（粒子）と通水性フラッペ体との接触頻度が増大し、それによって汚濁物資を好適に除去できると共に、いかなる水深の処理にも適応できる装置とすることができる。
【図面の簡単な説明】
【０００７】
【図１】本発明の汚濁物質除去装置の側断面図である。
【図２】図１の平面図である。
【図３】本発明のラッシュの平面図である。
【図４】本発明の汚濁物質除去装置の他の態様を示す側断面図である。
【図５】図４の平面図である。
【図６】連続したＶ字形を有する通水性フラッペ体を使用したときの汚濁物質除去装置の側断面図である。
【図７】両サイドにネット体を設けたときの汚濁物質除去装置の側断面図である。
【発明を実施するための形態】
【０００８】
次に本発明を図面を参照しながら説明するが、本発明は以下の説明のみに限定されるものではない。図１は、本発明の汚濁物質除去装置の側断面図である。通水性フラッペ体１の上部にフロート２を設け、該通水性フラッペ体１がＶ字形を構成するように固定する。通水性フラッペ体１をＶ字形に構成するには、例えば図２に示すように通水性フラッペ体１に設けられたフロート２を支持フロート３を介して形状保持フロート４に固定することによって達成することができる。
【０００９】
本発明の汚濁物質除去装置に設けられるＶ字形の通水性フラッペ体１のシャドーマスク効果を高めるためには、Ｖ字形形状の底部の角度（α）が３０〜１５０度であることが好ましい。このような角度にすることによって実際の通水性フラッペ体１の通水部の見かけの開口面積が小さくなることから、汚濁水の流速が弱まると共に、汚濁水中の汚濁物質（粒子）と通水性フラッペ体１との接触頻度が高くなり汚濁物質の除去率が高められる。
【００１０】
通水性フラッペ体１の通水部の開口面積は１〜１００ｃｍ２が好ましい。この範囲の開口面積とすることによって、通水性フラッペ体１に付着した汚濁物質がある程度付着したら自然に剥離落下するので、長期間設置しても通水性フラッペ体１の開口部が閉塞することがない。
【００１１】
本発明の通水性フラッペ体１としては、結節網、無結節網、成型網等の合成または天然繊維から調製されたネット体、また図３に示すように合成または天然繊維の細い紐状のものをリング状にして織り込んだラッシュ５等が用いられる。
【００１２】
Ｖ字形に構成された通水性フラッペ体１は、他の態様として図４および図５に示すように通水性フラッペ体１の上部にフロート２およびフロート２´によりロ形に設け、該通水性フラッペ体１がＶ字形を構成するように固定することによっても達成することができる。
【００１３】
またＶ字形に構成された通水性フラッペ体１は、他の態様として図６に示すように連続したＶ字形とすることもできる。この場合フロート２及びフロート２´によってロ形に展張する。
【００１４】
次にＶ字形に構成された通水性フラッペ体１の外側は図１に示すように少なくとも一方にネット体６を垂下するように設ける。このネット体６としては前記した通水性フラッペ体１と同じ素材のものが使用できる。
また他の態様としてネット体６は図７に示すようにＶ字形通水性フラッペ体１の両サイドの外側に設けることもできる。
【００１５】
前記Ｖ字形通水性フラッペ体１およびネット体６の下縁部に重錘７を設けることによってＶ字形の形状を好適に保持することができる。
このようにして構成された本発明の汚濁物質除去装置は、汚濁水の水流に対し上流側にネット体６がくるように設置する。
【００１６】
本発明の汚濁物質除去装置は、Ｖ字形通水性フラッペ体１をラッシュ５とすることにより、汚濁水中の汚濁物質を除去するだけでなく、水面上に浮かぶ油をラッシュ５に吸着し除去することも出来る。
【符号の説明】
【００１７】
１・・・通水性フラッペ体
２・・・フロート
３・・・支持フロート
４・・・保持フロート
６・・・ネット体
７・・・重錘
【図１】
2018059286.tif 000003
【図２】
2018059286.tif 000004
【図３】
2018059286.tif 000005
【図４】
2018059286.tif 000006
【図５】
2018059286.tif 000007
【図６】
2018059286.tif 000008
【図７】
2018059286.tif 000009
(57)【要約】【課題】  従来手袋着用の際ひとときだけ手袋を外し素手で用を成す時外した手袋の置きどころには一考を要し少し面倒であり又その管理方法によっては紛失等も考えられる。【解決手段】１  リストバンドの適当な部位と手袋内側の手首に近い部位を帯紐状のアームの両端にそれぞれを縫合結合してリストバンドと手袋を一体化せしめる。２  リストバンドの適当な部位にその一端が縫合結合されている帯紐状のアームの他方の一端にボタンホールを設け手袋内側の手首に近い部位にはボタンを取付けこれらが着脱自在とするも着用の際はこれらボタンホールとボタンを留めて連結結合して手袋とリストバンドを一体化せしめる。【選択図】図７
2018059250.tif 000002
【特許請求の範囲】
【請求項１】
リストバンドの適当な部位と手袋内側の手首に近い部位を帯紐状のアームの両端にそれぞれを縫合結合してリストバンドと手袋を一体化せしめた手袋。
【請求項２】
リストバンドの適当な部位にその一端が縫合結合されている帯紐状のアームの他方の一端にボタンホールを設け手袋内側の手首に近い部位にはボタンを取付け着脱自在とするも手袋着用の際はこれらボタンホールとボタンを留めて連結結合して手袋とリストバンドを一体化せしめた手袋。
【発明の詳細な説明】
【技術分野】
【０００１】  本発明は手袋着用の際ひとときだけ手袋を外す時その外した手袋を管理する作業をより簡単に又紛失する事が無い様にする事を目的とする手袋に関する。
【背景技術】
【０００２】    従来手袋着用の際ひとときだけ手袋を外し素手で用を成す時外した手袋の置きどころには一考を要し少し面倒であり又その管理方法によっては紛失等も考えられる。
【発明の概要】
【発明が解決しようとする課題】
【０００３】    従来手袋着用の際ひとときだけ手袋を外し素手で用を成す時外した手袋の置きどころには一考を要し少し面倒であり又その管理方法によっては紛失等も考えられる。【０００４】    本発明はこのようなその外した手袋を管理する作業をより簡単に又紛失する事がないようにする事を目的とするものである。
【課題を解決する為の手段】
【０００５】    そして本発明は上記目的を達成せんが為にリストバンドの適当な部位と手袋内側の手首に近い部位を帯紐状のアームの両端にそれぞれを縫合結合してリストバンドと手袋を一体化せしめる。
【０００６】  又は同目的を達成せんが為にリストバンドの適当な部位にその一端が縫合結合されている帯紐状のアームの他方の一端にボタンホールを設け手袋内側の手首に近い部位にはボタンを取付け着脱自在とするも手袋着用の際はこれらボタンホールとボタンを留めて連結結合して手袋とリストバンドを一体化せしめる。
【考案の効果】
【０００７】  上述のように本発明は帯紐状のアームによりリストバンドと手袋が縫合結合又はボタンホールとボタンとの連結結合にて一体化されている為着用している手袋がひとときだけ不要の際にはリストバンドは着用したまま手袋だけを外す事で用を成せ紛失事故も防げる。
【図面の簡単な説明】
【０００８】
【図１】  左手用手袋の外観斜視図
【図２】  左手用手袋の手首部分を指先側の外側へ折り返した外観斜視図
【図３】  帯紐状のアームが縫合結合されたリストバンドの斜視図
【図４】  帯紐状のアームによりリストバンドと左手用手袋が一体化した外観斜視図
【図５】  左手に帯紐状アームによりリストバンドと左手用手袋が一体化した手袋を着用している斜視図
【図６】  左手に帯紐状アームによりリストバンドと左手用手袋が一体化した手袋を着用している斜視図
【図７】  左手に帯紐状アームによりリストバンドと左手用手袋が一体化した手袋を着用した後リストバンドは着用したまま手袋だけを外した状態の斜視図
【図８】  一端をリストバンドに縫合結合された帯紐状のアームの他方の一端にボタンホールを設けた斜視図
【図９】  左手用手袋の手首部分を指先側の外側へ折り返した外観斜視図
【図１０】  リストバンドの帯紐状のアームと左手用手袋がボタンとボタンホールにより連結され一体化した外観斜視図
【符号の説明】
【０００９】１  左手用手袋
２  左手用手袋の手首部分
３  帯紐状のアーム
４  リストバンド
５  帯紐状のアームとリストバンドの縫合部
６  帯紐状のアームの端部
７  帯紐状のアームの端部
８  左手用手袋の手首部分を外側へ折り返した内側の手のひらに近い部位
９  左手をリストバンドと手袋に挿入する方向
１０  ボタンホール
１１  ボタン
【発明を実施する為の形態】
【００１０】  以下、本発明の実施の形態を図１〜図１０に基づいて説明する。尚その実施の形態は左右同じ方法なので簡略化の為左手のみの説明とする。
【００１１】  図１の左手用手袋１の手首部分２を図２の様に指先側の外側に向かって折り返し図３の様にリストバンド４の帯紐状のアーム３との縫合部５に帯紐状のアーム３の端部７を縫合結合した後その帯紐状のアーム３の他方の端部６を図２の手袋１の折り返した手首部分２の内側の手のひらに近い部位８に縫合結合して図４の様にリストバンド４と手袋１を帯紐状のアーム３の両端にそれぞれを縫合結合する事で一体化せしめることにより手袋着脱時の管理作業の簡略化と紛失事故を防ぐ。
【００１２】  又図８の様に帯紐状のアーム３の一端６にはボタンホール１０を設け手袋１の手首部分２の内側の手の平に近い部位８には図９の様にボタン１１を取付けこれらリストバンドと手袋がそのボタンとボタンホールにより着脱自在も手袋着用の際にはボタンホール１０にボタン１１を留めて図１０の様にリストバンドと手袋を一体化せしめることによって手袋着脱時の管理作業の簡略化と紛失事故を防ぐ。
【００１３】    上述のように本実施形態によれば手を図４や図１０の９の方向へ図５のように挿入した後手袋１の手首部分２を図６の様に元に戻して本来の着用姿とし手袋１がひとときだけ不要の際は図７の様にリストバンド４は着用したまま手袋１だけを外す事で用を成せるので着脱時の管理作業も簡単で紛失する事も少なく出来る。
【産業上の利用可能性】
【００１４】  手袋着用で高所や寒冷地にてひとときだけ手袋が不要な時その外した手袋は確実な管理を必要とし紛失すれば身の危険も考えられる。又普段の通勤通学、外出時には片方の紛失でも不快なものである。そこで帯紐状のアームによりリストバンドと手袋が一体化した本発明を着用すればひとときの着脱時の管理作業も簡単で紛失する事も少なく出来る。
【図１】
2018059250.tif 000003
【図２】
2018059250.tif 000004
【図３】
2018059250.tif 000005
【図４】
2018059250.tif 000006
【図５】
2018059250.tif 000007
【図６】
2018059250.tif 000008
【図７】
2018059250.tif 000009
【図８】
2018059250.tif 000010
【図９】
2018059250.tif 000011
【図１０】
2018059250.tif 000012
(57)【要約】【課題】  カーテンを通して差し込む眩しい太陽光を遮光するために窓開口遮光装置をより容易に安定設置したい。またカーテンや家具の覆いをアクセサリーを取り付けて飾り楽しめることを提供すること。【解決手段】  今迄の窓開口装置の設定をより容易に安定設置するためには、クリップ１を使用すること、このクリップ１は対のつまみ２の備わった２つの側面部３と１つの背面部４から成る。この背面部４に手で変形可能な湾曲した引っ掛け部５ａを有するフック５を幅方向に複数取り付けて水平棒をはめ込み手で固定すること、更にクリップ１でカーテンの左右上下の任意の位置を挟むこと、それらの結果遮光シートが振れたり不安定な状態にならない。【選択図】図１
2018059617.tif 000002
【特許請求の範囲】
【請求項１】
カーテンや家具の覆いに取り付けるクリップでクリップの背面部にフックを幅方向に取り付け、このフックに水平棒やアクセサリーを引っ掛け固定することで安定設置できる前記フックは指で変形させることができることを特徴としたクリップ。
【請求項２】
カーテンや家具の覆いの生地を挟むクリップの先端部分は生地を傷めないように且つ滑り落ちないようにゴム状弾性素材を備えた請求項１記載のクリップ。
【発明の詳細な説明】
【技術分野】
【０００１】  本発明はクリップに関する。
【背景技術】
【０００２】  カーテンを通して差し込む眩しい太陽光を遮光するために、窓開口遮光装置（例えば特許文献１参照）をより容易に安定設置したい。またカーテンや家具の覆いをアクセサリーで飾り楽しみたい。
【先行技術文献】
【特許文献】
【０００３】
【特許文献１】  特許第４４９２９７９号公報
【発明の概要】
【発明が解決しようとする課題】
【０００４】  窓に取り付けたカーテンＫを通し眩しい太陽光が差し込む時に、水平棒に垂下される遮光シートを容易に安定設置すること。今迄の遮光シートの設置方法は、窓の上部又は、カーテンレールの左右いずれかの位置に上側掛部を引っ掛けて、それにつながる上下いずれかの位置に吊部分を設定出来る吊部材に遮光シートの垂下された水平棒に取り付けてある下側掛部を引っ掛けて設置するもので、カーテンの振れによる遮光シートの不安定が考えられた。これらを、容易に固定且つ安定設置すること。更にカーテンや家具の覆いも容易に飾れる様にすること。
これらの課題を解決する。
【課題を解決するための手段】
【０００５】  カーテンや家具の覆いの左右上下の任意の位置に、水平棒に垂下される遮光シートやアクセサリーを容易に安定設置するためにはクリップを使用すること。クリップの背面部にはフックを設けている。フックは背面部の一端側に設けることができ、幅方向に間隔をあけて複数個、例えば２つ設けることができる。フックは手で変形可能な湾曲した引っ掛け部を有することができる。この引っ掛け部に水平棒をはめ込んで手でしっかり固定する。またアクセサリーを取り付けることができる。
【発明の効果】
【０００６】  本発明は、今迄の窓開口遮光装置の設置方法ではなくクリップを使用することでカーテンの左右上下の任意の位置に容易に設定出来、更にクリップの背面部のフックに水平棒をはめ込むことができるので水平棒に垂下された遮光シートが振れたり不安定な状態にならない。またアクセサリーも容易に着脱できるのでカーテンや家具の覆いを飾って楽しめる。
【図面の簡単な説明】
【０００７】
【図１】  本発明に係る手で変形可能な引っ掛け部を有するフックと滑り止めを備えたクリップの斜視図である。
【図２】  クリップに取り付けたフックの引っ掛け部に水平棒をはめ込み手で固定し遮光シートを垂下した実施図である。
【図３】  クリップをカーテンに取り付けた側面図である。クリップはフックを下側にしてカーテンに縦方向の襞を作ってはさむこと。
【図４】  クリップがカーテンを傷つけないように、またカーテンから滑り落ちないようにするためのゴム状弾性素材の滑り止めである、開口を有する袋状のカバーでクリップの２つの先端部に取り付けるものである。
【図５】  クリップをカーテンに取り付けた平面図である。
【図６】  フックの引っ掛け部に水平棒をはめ込み取り付ける過程の図である。
【発明を実施するための形態】
【０００８】  図１に示すようにクリップ１は一般に市販されている一対のつまみ２の備わった２つの側面部３と１つの背面部４から成るものを使用した。クリップ１のカーテンや家具の覆いＫを挟む先端部分は生地を傷めないように且つ滑り落ちないようにゴム状弾性素材で滑り止め６を作った、図４に示すように滑り止め６は滑り止め開口部６ａを有する袋状のものである。
【０００９】  クリップ１の背面部４一端側にはフック５を幅方向に間隔をあけて２つ取り付けた、このフック５には湾曲した引っ掛け部５ａが設けられている。この引っ掛け部５ａに水平棒７（直径０．８ｃｍと１．２ｃｍ長さ９０ｃｍを使用）をはめ込むが（図２参照）支えるフック５の引っ掛け部５ａは水平棒に添うように指で押して変形可能である。
【００１０】  フック５の５ａは水平棒７を挟める様に手で変形させることが可能なので図６に示すようにはめ込んだ水平棒７をしっかりと固定できる。
【００１１】  クリップ１の重量はカーテンや家具の覆いＫの生地に図３及び図５に示すようにひだを作って生地への負担を軽くするために軽量にすること。
【符号の説明】
【００１２】１    クリップ
２    つまみ
３    側面部
４    背面部
５    フック
５ａ  引っ掛け部
６    滑り止め
６ａ  滑り止め開口部
７    水平棒
８    遮光シート
Ｋ    カーテン又は家具の覆い
【図１】
2018059617.tif 000003
【図２】
2018059617.tif 000004
【図３】
2018059617.tif 000005
【図４】
2018059617.tif 000006
【図５】
2018059617.tif 000007
【図６】
2018059617.tif 000008
【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
カーテンの縦方向の襞を挟んで取り付けることができるクリップであってクリップの背面には、湾曲しているフックが幅方向に取り付けられ遮光シートを垂下する水平棒が固定されていることを特徴とするクリップ。